(57)【要約】【課題】ピックアップの移動を精度よく行い、見た目に美しい描写を実施することができる、ラベル面への描写機能を備えたディスク装置を提供すること【解決手段】駆動伝達部３３０には、リードスクリュ２５１の螺旋状の係合溝２５１Ａに係合する２つの爪部３３２と駆動伝達部３３０のリードスクリュ２５１側の面から突出したスクリュ支持部３３３とを備えている。駆動伝達部３３０には挿通部３３１が形成され、板バネ３４０が挿通され、弾性可能に支持される。爪部３３２は、係合溝２５１Ａに係合されるとともに接点Ｐでリードスクリュ２５１に当接している。スクリュ支持部３３３は、リードスクリュ２５１の外周面２５１Ｂに接点Ｓで当接してリードスクリュ２５１を支持する。【選択図】図５
2009199661.tif 000002
【特許請求の範囲】
【請求項１】
ディスク状の記録媒体の情報を読み取る読取処理および前記記録媒体へ情報を記録する記録処理のうち少なくともいずれか一方を実施するピックアップを保持するピックアップ保持装置と、
前記ピックアップ保持装置を移動可能に支持するガイド部と、
表面に螺旋状の溝部が形成されたリードスクリュを備えた移動用モータと、
前記溝部に摺動可能に係合するとともに前記溝部に当接する爪部、この爪部が一方の端部に形成されるとともに他方の端部が前記ピックアップ保持装置と接続され、前記他方の端部を前記リードスクリュ側に付勢する接続部、前記一方の端部から前記爪部と同じ方向に突出して設けられ、前記爪部とは異なる位置で前記リードスクリュと摺動可能に当接するスクリュ支持部、および前記スクリュ支持部を前記リードスクリュ側に付勢する弾性部材を備えたラック部材と、を具備した
ことを特徴とするピックアップ移動装置。
【請求項２】
請求項１に記載のピックアップ移動装置において、
前記接続部は、
前記爪部および前記スクリュ支持部が形成された駆動伝達部と、
この駆動伝達部と対向する位置で前記ピックアップに取り付けられる取付部と、
前記駆動伝達部の一端と前記取付部の一端とを連結する連結部と、を備えた
ことを特徴とするピックアップ移動装置。
【請求項３】
請求項１または請求項２に記載のピックアップ移動装置において、
前記接続部は、前記一方の端部を前記リードスクリュ側に付勢する板バネを有している
ことを特徴とするピックアップ移動装置。
【請求項４】
請求項１ないし請求項３のいずれかに記載のピックアップ移動装置において、
前記接続部が前記リードスクリュ側に付勢される方向と、前記スクリュ支持部が前記リードスクリュ側に付勢される方向と、が直交する
ことを特徴とするピックアップ移動装置。
【請求項５】
請求項１ないし請求項４のいずれかに記載のピックアップ移動装置において、
前記スクリュ支持部は、前記リードスクリュの外周面に平面が摺接する平面板状に形成されている
ことを特徴とするピックアップ移動装置。
【請求項６】
請求項１ないし請求項５のいずれかに記載のピックアップ移動装置において、
前記弾性部材は、コイルバネである
ことを特徴とするピックアップ移動装置。
【請求項７】
ディスク状の記録媒体を収納可能なケース体と、
前記記録媒体を保持する記録媒体保持装置と、
ディスク状の記録媒体の情報を読み取る読取処理および前記記録媒体へ情報を記録する記録処理のうち少なくともいずれか一方を実施するピックアップと、
前記記録媒体保持装置にて保持された前記記録媒体の径方向に略沿って前記ピックアップを移動させる請求項１ないし請求項６のいずれかに記載のピックアップ移動装置と、
を具備したことを特徴とするディスク装置。
【発明の詳細な説明】
【技術分野】
【０００１】
本発明は、ラベル面への描写機能を備えたピックアップ移動装置、およびディスク装置に関する。
【背景技術】
【０００２】
従来、例えばＤＶＤ（Digital Versatile Disk）やＣＤ（Compact Disc）等のディスクを再生あるいは記録するディスク装置が広く利用されている。ディスク装置は、ピックアップがディスクの記録面に沿って径方向に移動することによってディスクに書き込まれた情報を再生あるいはディスクに記録している。
近年では、このようなディスク装置のピックアップを移動させる技術を生かし、ＣＤ等のラベル面に印刷が可能な「ライトスクライブ（LightScribe）」という機能が搭載されている。
【０００３】
「ライトスクライブ」は、ディスク状の記録媒体のラベル面に特殊塗料が塗られており、ここにディスク装置でレーザ光を照射することで化学変化を起こし、モノクロで描画していくものである。レーザ光照射部は通常、ピックアップを保持する保持部に設けられており、ディスク状の記録媒体の情報記録面の情報を読み書きするのと同様に、ピックアップの移動とともにレーザ光照射部を移動させることによってラベル面に描画を行う。
ディスク状の記録媒体の情報記録面の情報を読み書きする場合は記録面にトラックがあるので、このトラックを目印としてピックアップの移動を制御することができる。一方、ラベル面に描画する場合はラベル面には目印が何もないので、ピックアップの移動精度が大きく影響する。
【０００４】
そこで、例えば、ピックアップヘッドの送りを精度よく行う技術がある（例えば、特許文献１参照）。
特許文献１に記載のものは、リードスクリュと係合したラックの変形を抑えるために、ラックに板バネが設けられている。
【０００５】
【特許文献１】特開２００４−１１８９５８号公報
【発明の開示】
【発明が解決しようとする課題】
【０００６】
しかしながら、特許文献１のような構成では、メカ精度が大きく影響するライトスクライブ技術において、十分な精度を得ることができない。
また、リードスクリュは湾曲するなどして、微小ではあるが変形することがある。リードスクリュが湾曲していると、図１および図２に示すように、リードスクリュの回転軸が一定の位置に定まらず、円運動をしてしまう。具体例を以下に詳述する。
【０００７】
図１は、本発明の従来技術を説明する概略図であり、（Ａ）はリードスクリュが定常位置にある状態、（Ｂ）はリードスクリュが上方に位置した状態、（Ｃ）はリードスクリュが下方に位置した状態を示す図であり、図２は、図１の側面図を表す概略図であり、（Ａ）はリードスクリュが定常位置にある状態、（Ｂ）はリードスクリュが上方に位置した状態、（Ｃ）はリードスクリュが下方に位置した状態を示す図である。
【０００８】
図１（Ａ）および図２（Ａ）では、リードスクリュ１０が定常位置にあり、リードスクリュ１０の中心軸１０Ａと、リードスクリュ１０の係合溝１１に係合する爪部２１の中央部２１Ａを結ぶ中心線２１Ｂとが一致している。したがって、リードスクリュ１０は、係合溝１１において、爪部２１の中央部２１Ａに当接する。なお、リードスクリュ１０の係合溝１１が爪部２１に当接する点を接点Ｐとする。
図１（Ｂ）および図２（Ｂ）では、リードスクリュ１０の円運動により、リードスクリュ１０が定常位置よりも上方に位置した状態であり、リードスクリュ１０の中心軸１０Ａと、爪部２１の中心線２１Ｂとが一致していない。すなわち、接点Ｐが、爪部２１の中央部２１Ａよりも上方に位置している。これにより、ラック部材２０は図１（Ａ）の定常位置よりも距離ｂだけ左へ移動してしまう。
図１（Ｂ）および図２（Ｂ）では、リードスクリュ１０の円運動により、リードスクリュ１０が定常位置よりも下方に位置した状態であり、リードスクリュ１０の中心軸１０Ａと、爪部２１の中心線２１Ｂとが一致していない。すなわち、接点Ｐが、爪部２１の中央部２１Ａよりも下方に位置している。これにより、ラック部材２０は図１（Ａ）の定常位置よりも距離ｃだけ右へ移動してしまう。
【０００９】
このように、リードスクリュ１０の振れや高さのばらつきによって、リードスクリュ１０の係合溝１１とラック部材２０の爪部２１との接点Ｐの位置が変化し、爪部２１が傾斜していることによりラック部材２０の位置も変化する。このような変化がリードスクリュ１０が１回転する間に発生するので、ピックアップの進行方向の移送精度が悪化する。その結果、ディスク状の記録媒体のラベル面に描写された文字や画像のずれは見た目に大きく影響してしまう。
すなわち、リードスクリュの微小な変形によってピックアップの位置精度が悪化し、ディスク状の記録媒体のラベル面に文字や画像を精度よく描写できなくなるという問題点が一例として挙げられる。
【００１０】
本発明は、ピックアップの移動を精度よく行い、見た目に美しい描写を実施することができる、ラベル面への描写機能を備えたピックアップ移動装置、およびディスク装置を提供することを１つの目的とする。
【課題を解決するための手段】
【００１１】
本発明のピックアップ移動装置は、ディスク状の記録媒体の情報を読み取る読取処理および前記記録媒体へ情報を記録する記録処理のうち少なくともいずれか一方を実施するピックアップを保持するピックアップ保持装置と、前記ピックアップ保持装置を移動可能に支持するガイド部と、表面に螺旋状の溝部が形成されたリードスクリュを備えた移動用モータと、前記溝部に摺動可能に係合するとともに前記溝部に当接する爪部、この爪部が一方の端部に形成されるとともに他方の端部が前記ピックアップ保持装置と接続され、前記他方の端部を前記リードスクリュ側に付勢する接続部、前記一方の端部から前記爪部と同じ方向に突出して設けられ、前記爪部とは異なる位置で前記リードスクリュと摺動可能に当接するスクリュ支持部、および前記スクリュ支持部を前記リードスクリュ側に付勢する弾性部材を備えたラック部材と、を具備したことを特徴とする。
【００１２】
本発明のディスク装置は、ディスク状の記録媒体を収納可能なケース体と、前記記録媒体を保持する記録媒体保持装置と、ディスク状の記録媒体の情報を読み取る読取処理および前記記録媒体へ情報を記録する記録処理のうち少なくともいずれか一方を実施するピックアップと、前記記録媒体保持装置にて保持された前記記録媒体の径方向に略沿って前記ピックアップを移動させる請求項１ないし請求項６のいずれかに記載のピックアップ移動装置と、を具備したことを特徴とする。
【発明を実施するための最良の形態】
【００１３】
以下、本発明の一実施形態を図面に基づいて説明する。
本実施形態では、ディスク状の記録媒体としての光ディスクに情報を記録および読み出す機能と、光ディスクのラベル面に文字や画像を描写する機能と、を備えた処理装置であるディスク装置としてのディスクドライブを例示して説明する。例えば、映像データの記録や再生のための処理をする再生装置、記録装置あるいはゲーム機などが挙げられる。また、光ディスクに限られず、磁気ディスク、光磁気ディスクなどのいずれの記録媒体に各種情報を記録、あるいは読み出すいずれのディスク装置を対象とすることができる。また、記録媒体としては、ＣＤ（Compact Disc）、ＤＶＤ（Digital Versatile Disc）、ＢＤ（Blu-ray Disc：ブルーレイディスク）、ＨＤ−ＤＶＤ（High Definition DVD）などが例示できる。
【００１４】
〔ディスクドライブの構成〕
図３は、本発明の一実施形態に係るディスク装置の内部構成を示す平面図である。図４は、前記一実施形態におけるラック部材を拡大した平面図である。図５は、前記一実施形態におけるピックアップ移動装置の構成を示す断面図である。図６は、図５をリードスクリュ側から見た側面図である。
【００１５】
図３において、１００は、ディスクドライブであり、このディスクドライブ１００は、ケース体１１０を備えている。
ケース体１１０は、底部側の下ケース１１１と天面側の図示しない上ケースとにより構成され、内部に空間を有する略四角箱状に形成されている。このケース体１１０は、一面側に開口部１１２を有している。ケース体１１０内には、トレイ部１２０と、このトレイ部１２０の開口部１１２を介した進退移動を案内するレール部１３０と、トレイ部１２０の進退移動をケース体１１０内にロックする図示しないロック機構と、ディスクドライブ１００の動作の制御などを実施する図示しない制御回路部とが設けられている。
【００１６】
トレイ部１２０は、トレイ１２１を備えている。このトレイ１２１は、例えば合成樹脂などにて形成された略板状に形成され、ケース体１１０の開口部１１２から進出自在に設けられている。
また、トレイ１２１の一縁側には、トレイ１２１がケース体１１０内部に収納された状態で、ケース体１１０の開口部１１２を閉塞する化粧板１２２が設けられている。
さらに、トレイ１２１の上面側には、記録媒体としての図示しない光ディスクの径寸法より若干大きい円弧状凹部１２３が設けられている。また、トレイ１２１には、化粧板１２２側の一端部から円弧状凹部１２３の略中心に向かってディスク処理部２００が設けられている。
【００１７】
レール部１３０は、ケース体１１０の開口部１１２からトレイ１２１の進退方向に沿って配設され、トレイ１２１の両側面に沿って設けられている。
【００１８】
トレイ部１２０に設けられたディスク処理部２００は、例えば、金属板にて略板状に形成され一端が揺動自在にトレイ１２１に支持された台座部２１０を有している。この台座部２１０は、トレイ１２１の化粧板１２２側の一端部から、中心位置に向かって長手に形成されている。また、台座部２１０には、長手方向に沿って、長手状の処理開口部２１１が略中央に切欠形成されている。そして、台座部２１０の処理開口部２１１の一端側に記録媒体保持装置としてのディスク回転駆動手段２２０が配設されている。
【００１９】
ディスク回転駆動手段２２０は、図示しないスピンドルモータと、このスピンドルモータの出力軸に一体的に設けられたターンテーブル２２１と、を備えている。スピンドルモータは、制御回路部に制御可能に接続され、制御回路部から供給される電力により駆動する。ターンテーブル２２１は、トレイ１２１の略中心部に設けられるとともに光ディスクを回転可能に保持する。
【００２０】
また、台座部２１０には、図３に示すように、処理移動手段２３０が配設されている。この処理移動手段２３０は、後述のピックアップボディ３０１の移動をガイドするガイド部２４０と、ガイド部２４０を移動させる移動用モータ２５０と、などを備えている。
【００２１】
ガイド部２４０は、軸方向が台座部２１０の長手方向に略沿う状態で設けられたガイド部材としての第１ガイドシャフト２４１と、処理開口部２１１を介して第１ガイドシャフト２４１と平行に配設されたガイド部材としての第２ガイドシャフト２４２と、第１ガイドシャフト２４１および第２ガイドシャフト２４２のそれぞれの両端側に設けられたガイド保持部としての４個のシャフト位置調整機構２４３と、を備えている。
【００２２】
シャフト位置調整機構２４３は、第１ガイドシャフト２４１および第２ガイドシャフト２４２を、ターンテーブル２２１で保持された光ディスクに対して接離可能に保持する。
【００２３】
移動用モータ２５０は、外周面に螺旋状の溝部としての係合溝２５１Ａが設けられたリードスクリュ２５１と、リードスクリュ２５１に電圧を供給する電動用モータ２５２と、を備えている。
リードスクリュ２５１は、第２のガイドシャフト２４２の近傍に、この第２ガイドシャフト２４２と平行に配設されている。具体的には、リードスクリュ２５１は、台座部２１０に切り起こし形成された第１モータ軸支持部２１２と、第２モータ軸支持部２１３とに、軸方向に振動可能に支持されている。
電動用モータ２５２は、リードスクリュ２５１における第１モータ軸支持部２１２で支持された側の一方の端部に設けられている。この電動用モータ２５２は、図示しない電圧印加部により印加される電圧によりリードスクリュ２５１を回転させ、後述するピックアップボディ３０１を移動させる。
【００２４】
また、台座部２１０には、ディスク回転駆動手段２２０の近傍に、光センサ２６０が配設されている。
一般的に、ライトスクライブに対応した光ディスク等のラベル面には、その最内周側に、スポークと呼ばれる棒状の目印が、その長手方向が径方向に沿う状態で無数に配置されている。例えば、スポークが光ディスク等のラベル面の最内周側に１周４００本あるとすると、スポークを１本通過するごとに約０．９度回転したことになる。
光センサ２６０は、このスポークを検出するセンサであり、常にＣＤ等の回転位置を把握している。
【００２５】
さらに、台座部２１０には、処理移動手段２３０に支持されたピックアップとしての情報処理部３００が配設されている。
この情報処理部３００は、第１ガイドシャフト２４１および第２ガイドシャフト２４２間に架橋する状態で設けられた略長方形板状のピックアップボディ３０１を備えている。このピックアップボディ３０１の長手方向の一縁には、第１ガイドシャフト２４１が係合可能な断面コ字状のガイドシャフト係合部３０２が設けられている。また、ピックアップボディ３０１の長手方向の他縁には、第２ガイドシャフト２４２が挿通可能なシャフト軸受孔３０３Ａを有するガイドシャフト受部３０３が設けられている。
すなわち、ピックアップボディ３０１は、移動経路の両側縁側に設けられた第１ガイドシャフト２４１および第２ガイドシャフト２４２により、ガイドされつつ移動する。
【００２６】
さらに、ピックアップボディ３０１には、光ディスクの記録面に記録された各種情報を読み取って出力回路部へ出力する読取処理や、各種情報を記録面に記録する記録処理を実施するピックアップとしての光ピックアップ３０４と、光ディスクのラベル面に文字や画像を描写するレーザ光を照射するレーザ光照射部３０５が配設されている。
【００２７】
また、ピックアップボディ３０１におけるガイドシャフト受部３０３には、ピックアップボディと移動用モータ２５０とを接続し、移動用モータの駆動をピックアップボディ３０１に伝達するラック部材３１０が設けられている。
ラック部材３１０は、図４、図５および図６に示すように、接続部としての取付部３２０、駆動伝達部３３０、および板バネ３４０と、弾性部材としてのコイルバネ３５０と、を備えている。
接続部の一方の端部としての駆動伝達部３３０のリードスクリュ２５１側の面には係合溝２５１Ａに摺動可能に係合する２つの爪部３３２が形成されている。一方、接続部の他方の端部としての取付部３２０はピックアップボディ３０１と接続されている。そして、取付部３２０、駆動伝達部３３０、および板バネ３４０によって、光ディスク側に向けて開口する略Ｕ字形状に形成されている。
【００２８】
取付部３２０は、図５に示すように、ガイドシャフト受部３０３のリードスクリュ２５１と対向する側面３０３Ｂに当接する第１当接部３２１と、ガイドシャフト受部３０３の光ピックアップ３０４が設けられる側とは反対側の面３０３Ｃに当接する第２当接部３２２と、第２当接部３２２の延長上で第１当接部と直交し駆動伝達部３３０に連結する略板状の連結部３２３と、により断面略Ｔ字形状に形成されている。
第１当接部３２１および第２当接部３２２は、ねじ等により、ガイドシャフト受部３０３に固定されている。
連結部３２３は、板バネ３４０の一端側に当接する連結本体部３２３Ａと、連結本体部３２３Ａの両縁側の延長上に形成された２つの連結支持部３２３Ｂと、により、平面視で略コ字形状に形成されている。
【００２９】
駆動伝達部３３０は、取付部３２０の第１当接部３２１に対向して位置し略板状に形成され、リードスクリュ２５１の駆動をピックアップボディ３０１に伝達する。
また、駆動伝達部３３０は、リードスクリュ２５１の軸方向と直交する方向に貫通する挿通部３３１が形成されている。この挿通部３３１に板バネ３４０が挿通されることにより、駆動伝達部３３０、板バネ３４０、および取付部３２０とが連結し、駆動伝達部３３０に形成された後述の爪部３３２をリードスクリュ２５１に当接させる方向に付勢している。
【００３０】
駆動伝達部３３０のリードスクリュ２５１側の面には、リードスクリュ２５１の螺旋状の係合溝２５１Ａに係合する２つの爪部３３２と、この爪部３３２の下方に駆動伝達部３３０と直交する方向に駆動伝達部３３０から突出した板状のスクリュ支持部３３３と、が設けられている。
【００３１】
爪部３３２は、リードスクリュ２５１の係合溝２５１Ａに係合する。また、爪部３３２は、図６に示すように、リードスクリュ２５１の軸方向および軸方向と直交する方向に対して傾斜して長手状に形成されている。爪部３３２は、係合溝２５１Ａに係合されるとともに接点Ｐでリードスクリュ２５１に摺動可能に当接している。
【００３２】
スクリュ支持部３３３は、図５に示すように、一方の端部としての駆動伝達部３３０から爪部３３２と同じ方向に直交する状態でリードスクリュの外周面に平面が摺接する平面板状に突出して設けられ、爪部３３２とは異なる位置（接点Ｓ）でリードスクリュ２５１の外周面２５１Ｂと摺動可能に当接するものである。
【００３３】
板バネ３４０は、駆動伝達部３３０を側圧方向にリードスクリュ２５１側へ付勢するものである。折曲部３４１で折曲形成された断面略Ｌ字形状に形成され、その一端側３４２は連結本体部３２３Ａの台座部２１０と対向する側の面に当接し、折曲部３４１を境として、他端側３４３は連結部３２３の端面３２３Ｃと当接するとともに、駆動伝達部３３０の挿通部３３１に挿通されている。
この板バネ３４０により、駆動伝達部３３０は、リードスクリュ２５１側に付勢されている。
【００３４】
コイルバネ３５０は、スクリュ支持部３３３を垂直方向にリードスクリュ２５１側に付勢するものであり、２つの連結支持部３２３Ｂとスクリュ支持部３３３との間にそれぞれ設けられている。
このコイルバネ３５０により、スクリュ支持部３３３は、板バネ３４０が付勢する方向と直行する方向でリードスクリュ２５１側に付勢されている。
【００３５】
以上のように、爪部３３２は板バネ３４０によってリードスクリュ２５１側に付勢されることで係合溝２５１Ａに摺動可能に当接し、スクリュ支持部３３３はコイルバネ３５０によってリードスクリュ２５１側に付勢されることで外周面２５１Ｂに摺動可能に当接している。すなわち、リードスクリュ２５１は、爪部３３２とスクリュ支持部３３３とに対して常に接点Ｐと接点Ｓの２点で当接した状態で回転する。
なお、爪部３３２がリードスクリュ２５１に付勢される方向と、スクリュ支持部３３３がリードスクリュ２５１側に付勢される方向とは直交している。
【００３６】
また、台座部２１０の上面側には、図３に示すように、ＴＭカバー部材２９０が設けられている。
このＴＭカバー部材２９０は、例えばアルミなどの軽量金属により形成され、処理移動手段２３０、情報処理部３００の一部を覆う状態に台座部２１０に固定されている。そして、ＴＭカバー部材２９０は、光ピックアップ３０４の移動経路、すなわちターンテーブル２２１の径方向に沿って処理開口部２９１が設けられている。この処理開口部２９１により、光ピックアップ３０４が光ディスクの記録面に対向し、記録面に所定波長の光を射出可能となっている。
【００３７】
〔ディスクドライブの動作〕
次に、上記一実施形態におけるディスクドライブ１００の動作を図７および図８に基づいて説明する。ここでは、ディスクドライブ１００の動作として、処理移動手段２３０による情報処理部３００の移動処理について説明する。
図７は、前記一実施形態におけるリードスクリュとラック部材との動作を説明する概略図であり、（Ａ）はリードスクリュが定常位置にある状態、（Ｂ）はリードスクリュが上方に位置した状態、（Ｃ）はリードスクリュが下方に位置した状態を示す図である。図８は、図７の側面図を表す概略図であり、（Ａ）はリードスクリュが定常位置にある状態、（Ｂ）はリードスクリュが上方に位置した状態、（Ｃ）はリードスクリュが下方に位置した状態を示す図である。
【００３８】
ディスクドライブ１００の制御回路部は、処理移動手段２３０を制御して、情報処理部３００を所定の位置へ移動させる。
具体的には、制御回路部は、電圧印加部を制御して、処理移動手段２３０を構成する電動用モータ２５２に高周波の電圧を印加させる。電動用モータ２５２は、電圧が印加されると、この印加された電圧に対応した状態でリードスクリュ２５１を回転させる。リードスクリュ２５１に接触する爪部３３２は、リードスクリュ２５１が回転すると、この回転により、爪部３３２が係合溝２５１Ａに係合したままリードスクリュ２５１の軸方向に略沿って移動する。
【００３９】
図７（Ａ）および図８（Ａ）では、リードスクリュ２５１が定常位置にあり、リードスクリュ２５１の中心軸２５１Ｃと、リードスクリュ２５１の係合溝２５１Ａに係合する爪部３３２の中央部３３２Ａを結ぶ中心線３３２Ｂとが一致している。したがって、リードスクリュ２５１は、係合溝２５１Ａの中心軸２５１Ｃ上において、爪部３３２の中央部３３２Ａに当接する。なお、リードスクリュ２５１の係合溝２５１Ａが爪部３３２に当接する点を接点Ｐとする。
図７（Ｂ）および図８（Ｂ）では、リードスクリュ２５１の円運動により、リードスクリュ２５１が定常位置よりも上方に位置した状態である。リードスクリュ２５１の上昇に伴い、リードスクリュ２５１側に付勢されたスクリュ支持部３３３はリードスクリュ２５１に追従して上昇する。したがって、スクリュ支持部３３３と一体的に形成された爪部３３２も同様にリードスクリュ２５１に追従するので、爪部３３２の中央部３３２Ａが常に係合溝２５１Ａと当接する。
図７（Ｃ）および図８（Ｃ）では、リードスクリュ２５１の円運動により、リードスクリュ２５１が定常位置よりも下方に位置した状態である。リードスクリュ２５１の下降に伴い、リードスクリュ２５１側に付勢されたスクリュ支持部３３３はリードスクリュ２５１に追従して下降する。したがって、スクリュ支持部３３３と一体的に形成された駆動伝達部３３０および爪部３３２も同様にリードスクリュ２５１に追従するので、爪部３３２の中央部３３２Ａが常に係合溝２５１Ａと当接する。
このように、駆動伝達部３３０、爪部３３２およびスクリュ支持部３３３はリードスクリュ２５１の動作に追従する。
【００４０】
そして、以上のような駆動伝達部３３０、爪部３３２およびスクリュ支持部３３３の移動に伴い、情報処理部３００を構成するピックアップボディ３０１は、第１ガイドシャフト２４１および第２ガイドシャフト２４２にガイドされつつ所定の位置まで移動する。
【００４１】
〔ディスクドライブの作用効果〕
以上の上記一実施形態によれば、以下の作用効果が期待できる。
【００４２】
上述したように、上記実施形態では、ディスクドライブ１００に、ピックアップボディ３０１を移動可能に支持するガイド部２４０と、ピックアップボディ３０１の移動を駆動する移動用モータ２５０と、ピックアップボディ３０１と移動用モータ２５０とを連結するラック部材３１０と、を設けている。そして、ラック部材３１０に爪部３３２が形成された駆動伝達部３３０およびスクリュ支持部３３３を設け、この駆動伝達部３３０を側圧方向へリードスクリュ２５１側に付勢する板バネ３４０と、スクリュ支持部３３３を垂直方向へリードスクリュ２５１側に付勢するコイルバネ３５０と、を設けた。
このため、リードスクリュ２５１側へ付勢された爪部３３２およびスクリュ支持部３３３が、常にリードスクリュ２５１の動作に追従し、爪部３３２とリードスクリュ２５１の係合溝２５１Ａとが常に一定の位置で当接した状態となる。すなわち、リードスクリュ２５１が定常位置より上方に動いた場合や、定常位置より下方に動いた場合でも、爪部３３２とリードスクリュ２５１の係合溝２５１Ａとの接点Ｐは、常にリードスクリュ２５１の中心軸２５１Ｃと爪部３３２の中央部３３２Ａ上にある。
したがって、爪部３３２とリードスクリュ２５１との接点の位置の違いによるずれが発生しないので、位置精度の高いピックアップ移動装置を提供することができる。
【００４３】
これにより、ライトスクライブの技術でディスクのラベル面に見た目に美しい文字や画像を描写することができる。
さらに、通常のディスクドライブとして、ディスクを再生または記録する場合においてもピックアップの移動を精度よく行うことができるので、処理精度の向上を図ることができる。
【００４４】
また、上記実施形態では、側圧方向へ付勢する手段として、板バネ３４０を用いた。板バネ３４０により、連結部３２３と駆動伝達部３３０とを簡単な構造で連結するとともに支持することができる。さらに、駆動伝達部３３０をリードスクリュ２５１側へ付勢することもできる。すなわち、簡単な構造であるため、組立性の向上を図ることができるとともに、連結部３２３および駆動伝達部３３０周辺に余分な構造が存在しないのでスペースを十分に確保することができ、組立性および作業性をさらに向上させることができる。
【００４５】
さらに、垂直方向へ付勢する弾性部材として、コイルバネ３５０を用いた。略円柱状のコイルバネ３５０はその軸方向に付勢するため、スクリュ支持部３３３の面方向に対してその軸方向が直交する状態でコイルバネ３５０を設置する。これによれば、スクリュ支持部３３３を確実にリードスクリュ２５１に当接させることができる。
また、このようにコイルバネ３５０を設置することは、組み立ておよび設置が簡単であるので、組立性および作業性の向上を図ることができる。
【００４６】
そして、上記実施形態では、駆動伝達部３３０とスクリュ支持部３３３とが直交するように形成した。すなわち、爪部３３２を有する駆動伝達部３３０がリードスクリュ２５１に付勢される方向と、スクリュ支持部３３３がリードスクリュ２５１側に付勢される方向とは直交している。このような構成であれば、駆動伝達部３３０とスクリュ支持部３３３とを確実にリードスクリュ２５１に当接させた状態で保持することができる。したがって、リードスクリュ２５１の係合溝２５１Ａと爪部３３２とを確実に一定の位置（接点Ｐ）で当接させることができるので、位置精度をより向上させることができる。
【００４７】
［実施形態の変形］
なお、本発明は、上述した実施形態に限定されるものではなく、本発明の目的を達成できる範囲で以下に示される変形をも含むものである。
【００４８】
すなわち、上述した実施形態では、垂直方向に付勢する弾性部材としてコイルバネを使用したが、図９に示すように、板バネ３９０を使用してもよい。この場合、ラック部材３６０のスクリュ支持部３３４および連結部３２４の形状が、上述した実施形態と異なる。
スクリュ支持部３３４は、駆動伝達部３３０の両縁側の２箇所に駆動伝達部３３０から突出して設けられ、この２つのスクリュ支持部３３４が板バネ３９０の両端部によって付勢される。
連結部３２４は、板バネ３４０と当接する連結本体部と連結本体部の延長上に形成された連結支持部とにより、略平面矩形状に形成されている。なお、連結本体部と連結支持部との境界には、板バネ３４０が貫通する図示しない孔部が形成されている。
板バネ３９０は、両端部が折曲形成され、中央部が平面状に形成される。そして、中央部を連結支持部に当接させるとともに、両端部をスクリュ支持部に接触させる。これにより、板バネ３９０がスクリュ支持部３３４をリードスクリュ２５１側に付勢することができる。
以上のような構成であっても、前述と同様の作用効果を奏することができる。また、板バネ３９０は１つでよいので、部品点数が減りコスト低減をはかることができる。さらに、板バネ３９０は設置を簡単に行うことができる。
【００４９】
また、上述した実施形態では、スクリュ支持部３３３をコイルバネ３５０で垂直方向に付勢したが、駆動伝達部を異なる２つの径方向から付勢することができればこの構成に限られない。例えば、スクリュ支持部を、駆動伝達部に対して鈍角の方向に突出する状態に形成し、このスクリュ支持部の面方向と直交する方向からコイルバネ等の弾性部材でスクリュ支持部を付勢する。このような構成であっても、リードスクリュと爪部との接点は常に一定の位置となるので、前述と同様の効果を奏することができる。
スクリュ支持部を、駆動伝達部に対して鋭角の方向に突出する状態に形成した場合でも同様である。
以上のように、設置場所にスペース上の制約がある場合でもそのスペースの大きさや形状に合わせて適宜調整して設置することができる。
【００５０】
さらに、上述した実施形態では、スクリュ支持部３３３を略板状に形成したが、リードスクリュ２５１に摺動可能に当接できれば、この形状に限られない。例えば、リードスクリュ２５１の係合溝２５１Ａに当接するように棒状に突出した形状としてもよい。このような構成であれば、使用する材料が少なくてよいので、コスト低減を図ることができる。
【００５１】
また、上述した実施形態では、接続部を付勢する手段として板バネ３４０を用いたが、爪部３３２をリードスクリュ２５１側へ付勢する手段であればこれに限られない。例えば、取付部と駆動伝達部との間にコイルバネを設けてもよい。コイルバネは取り付けが容易であるので、組立性および作業性を向上させることができる。
【００５２】
そして、光ディスクを搬送するトレイ１２１を備えたドライブ構成を例示したが、例えばスロットインタイプにも適用できる。
【００５３】
また、ラック部材３１０は、弾性変形可能な材料、例えば金属板などにより形成されてもよい。このような構成にしても、上述と同様の作用効果を奏することができる。
【００５４】
その他、本発明の実施の際の具体的な構造および手順は、本発明の目的を達成できる範囲で他の構造などに適宜変更できる。
【００５５】
［実施形態の作用効果］
上述したように、上記一実施形態では、ディスクドライブ１００に、ピックアップを保持するピックアップボディ３０１と、ピックアップボディ３０１を移動可能に支持するガイド部２４０と、ピックアップボディ３０１の移動を駆動するリードスクリュ２５１と、ピックアップボディ３０１およびリードスクリュ２５１の間にラック部材３１０が設けられている。ラック部材３１０には、リードスクリュ２５１の２点（接点Ｐおよび接点Ｓ）で爪部３３２とスクリュ支持部３３３が設けられ、爪部３３２を側圧方向へリードスクリュ２５１側に付勢する板バネ３４０と、スクリュ支持部３３３を垂直方向へリードスクリュ２５１側に付勢するコイルバネ３５０と、を設けた。
このため、爪部３３２およびスクリュ支持部３３３が、常にリードスクリュ２５１の動作に追従し、リードスクリュ２５１と爪部３３２およびスクリュ支持部３３３とが一定の位置（接点Ｐ、Ｓ）で摺動可能に当接した状態を維持することができる。すなわち、リードスクリュ２５１が定常位置より上方に動いた場合や、定常位置より下方に動いた場合でも、接点Ｐは、常にリードスクリュ２５１の中心軸２５１Ｃと爪部３３２の中央部３３２Ａ上にある。
したがって、爪部３３２とリードスクリュ２５１との接点の位置の違いによるリードスクリュ２５１の軸方向のずれが発生しないので、位置精度の高いピックアップの移動装置を提供することができる。
【００５６】
これにより、ライトスクライブの技術においてピックアップを精度よく移動させることができるので、ディスクのラベル面に見た目に美しい文字や画像を描写することができる。
さらに、通常のディスクドライブとして、ディスクを再生または記録する場合においてもピックアップの移動を精度よく行うことができるので、処理精度の向上を図ることができる。
【図面の簡単な説明】
【００５７】
【図１】本発明の従来技術を説明する概略図であり、（Ａ）はリードスクリュが定常位置にある状態、（Ｂ）はリードスクリュが上方に位置した状態、（Ｃ）はリードスクリュが下方に位置した状態を示す図。
【図２】図１の側面図を表す概略図であり、（Ａ）はリードスクリュが定常位置にある状態、（Ｂ）はリードスクリュが上方に位置した状態、（Ｃ）はリードスクリュが下方に位置した状態を示す図。
【図３】本発明の一実施形態に係るディスク装置の内部構成を示す平面図。
【図４】前記一実施形態におけるラック部材を拡大した平面図。
【図５】前記一実施形態におけるピックアップ移動装置の構成を示す断面図。
【図６】図５をリードスクリュ側から見た側面図。
【図７】前記一実施形態におけるリードスクリュとラック部材との動作を説明する概略図であり、（Ａ）はリードスクリュが定常位置にある状態、（Ｂ）はリードスクリュが上方に位置した状態、（Ｃ）はリードスクリュが下方に位置した状態を示す図。
【図８】図７の側面図を表す概略図であり、（Ａ）はリードスクリュが定常位置にある状態、（Ｂ）はリードスクリュが上方に位置した状態、（Ｃ）はリードスクリュが下方に位置した状態を示す図。
【図９】前記他の実施形態におけるピックアップ移動装置を示す断面図。
【符号の説明】
【００５８】
１００…ディスク装置としてのディスクドライブ
２４０…ピックアップ移動装置を構成するガイド部
２４１…第１ガイドシャフト
２４２…第２ガイドシャフト
２５０…ピックアップ移動装置を構成する移動用モータ
２５１…リードスクリュ
２５２…電動用モータ
３０１…ピックアップ移動装置を構成するピックアップボディ
３０４…光ピックアップ
３０５…レーザ光照射部
３１０、３６０…ピックアップ移動装置を構成するラック部材
３２０…取付部
３２１…第１当接部
３２２…第２当接部
３２３…連結部
３３０…駆動伝達部
３３２…爪部
３３３…スクリュ支持部
３４０…板バネ
３５０…弾性部材としてのコイルバネ
３９０…弾性部材としての板バネ
Ｐ、Ｓ…接点
【図１】
2009199661.tif 000003
【図２】
2009199661.tif 000004
【図３】
2009199661.tif 000005
【図４】
2009199661.tif 000006
【図５】
2009199661.tif 000007
【図６】
2009199661.tif 000008
【図７】
2009199661.tif 000009
【図８】
2009199661.tif 000010
【図９】
2009199661.tif 000011